(57)【要約】【課題】  キャビネットのボス部に溶着されたプッシュボタンユニットの枠体のぐらつきを抑制してプッシュボタンの操作感や他のプッシュボタンの追従微動を抑制する。【解決手段】  キャビネット５のボス部６とプッシュボタンユニット１の枠体２の孔部２１とを嵌合して溶着する。枠体２の連結梁部２２の平坦面を、キャビネット５側の支持片９１により支えさせることにより、プッシュボタン３の押込み操作に伴う枠体２のぐらつきを抑制する。連結梁部２２に、ヒンジ４１を介して複数の可動片４を連結し、それぞれの可動片４にプッシュボタン３を具備させる。【選択図】        図１
2007073244.tif 000002
【特許請求の範囲】
【請求項１】
電気機器キャビネットから突出されているボス部とプッシュボタンユニットの枠体に設けられている孔部との嵌合箇所を溶着することにより上記プッシュボタンユニットが上記キャビネットに結合されてそのプッシュボタンユニットのプッシュボタンが上記キャビネットの開口部に配備されている電気機器のプッシュボタン取付構造において、
上記プッシュボタンユニットが、上記枠体と、横並びに配列された複数の上記プッシュボタンのそれぞれを個別に備える複数の可動片と、を備え、それぞれの可動片が薄肉樹脂層によって形成されたヒンジ部を介して上記枠体の横長の連結梁部に片持ち立上り状に連結されていると共に、上記枠体の連結梁部の平坦面を支えて上記プッシュボタンの押込み操作に伴う枠体のぐらつきを抑制する支持体が上記連結梁部の下側で上記キャビネットに一体に成形され、その支持体が上記連結梁部の複数箇所に対峙する複数条のリブ状の支持片に分割されていて、それらの支持片に、上記プッシュボタンを押込み操作することによって動作されるスイッチを実装した配線基板の端面に突き当たって上記可動片に具備された操作片部を上記スイッチのタクトに対して位置決めする機能が付与され、
上記ボス部が、プッシュボタンユニットの上記枠体の孔部が嵌合された軸部と、その軸部に嵌合された上記枠体の孔部の孔縁に重なり合った座面を備えて上記キャビネットに連設された基台部とを有していることを特徴とする電気機器のプッシュボタン取付部構造。
【請求項２】
電気機器キャビネットから突出されているボス部とプッシュボタンユニットの枠体に設けられている孔部との嵌合箇所を溶着することにより上記プッシュボタンユニットが上記キャビネットに結合されてそのプッシュボタンユニットのプッシュボタンが上記キャビネットの開口部に配備されている電気機器のプッシュボタン取付構造において、
上記枠体の平坦面を支えてそのプッシュボタンの押込み操作に伴う枠体のぐらつきを抑制する支持体が上記キャビネットに一体に成形されていることを特徴とする電気機器のプッシュボタン取付部構造。
【請求項３】
上記プッシュボタンユニットが、上記枠体と、横並びに配列された複数の上記プッシュボタンのそれぞれを個別に備える複数の可動片と、を備え、それぞれの可動片が薄肉樹脂層によって形成されたヒンジ部を介して上記枠体の連結梁部に片持ち状に連結されている請求項２に記載した電気機器のプッシュボタン取付部構造。
【請求項４】
上記支持体が、上記枠体の連結梁部の複数箇所に対峙する複数条のリブ状の支持片に分割されている請求項３に記載したプッシュボタン取付部構造。
【請求項５】
上記ボス部が、プッシュボタンユニットの上記枠体の孔部が嵌合された軸部と、その軸部に嵌合された上記枠体の孔部の孔縁に重なり合った座面を備えて上記キャビネットに連設された基台部とを有する請求項２ないし請求項４のいずれか１項に記載した電気機器のプッシュボタン取付部構造。
【請求項６】
上記支持体は、上記プッシュボタンを押込み操作することによって動作されるスイッチを実装した配線基板の端面に突き当たって上記可動片に具備された操作片部を上記スイッチのタクトに対して位置決めする機能を有する請求項２ないし請求項５のいずれか１項に記載した電気機器のプッシュボタン取付部構造。
【発明の詳細な説明】
【技術分野】
【０００１】
本発明は、ＤＶＤプレーヤやＶＣＲ（ビデオカセットレコーダ）などの各種の電気機器に装備されるプッシュボタンの取付部構造、特に、複数のプッシュボタンが枠体に一体に連設されているプッシュボタンユニットの上記枠体を電気機器キャビネットに溶着によって結合した場合のプッシュボタンの操作感を向上ないし安定させるための対策を講じた電気機器のプッシュボタン取付部構造に関する。
【背景技術】
【０００２】
従来、電気機器のフロントパネルに取り付けられる操作ボタンの取付け作業性や取付け後の安定性などを向上させるための対策が提案されていた（たとえば、特許文献１参照）。そして、この特許文献１には、複数の操作ボタンが一体に連結されている矩形の枠体の上端部をフロントパネルにねじ止めすることと併せて、その枠体の下端部に設けた係合片を、キャビネットの底板に設けた係合孔に係合するという技術についての記載がある。
【０００３】
また、溶着方法を用いずにスイッチ部の釦構造を構成するための提案や、スイッチ釦部が破損した場合の補修を容易にするための提案もなされている（たとえば、特許文献２参照）。
【０００４】
一方、図４には、溶着によってプッシュボタンユニット１を電気機器キャビネット５に取り付けた構造を、キャビネット５の内側から見た正面図で示してあり、図５には図４のＶ−Ｖ線に沿う部分を垂直断面図で示してある。同図のプッシュボタン取付構造において、キャビネット５はＤＶＤプレーヤなどの偏平なキャビネットのフロントパネルに相当していて、プッシュボタンユニット１は、その枠体２の複数箇所に設けられている筒状の孔部２１をキャビネット５から突出されているボス部６に嵌合し、その嵌合箇所を溶着することによってキャビネット５に結合されている。また、プッシュボタンユニット１のプッシュボタン３がキャビネット５の開口部５１に配備されている。そして、上記プッシュボタンユニット１は、枠体２と、横並びに配列された複数のプッシュボタン３のそれぞれを個別に備える複数の可動片４とを備えていて、それぞれの可動片４が薄肉樹脂層によって形成された各別のヒンジ部４１を介して枠体２に備わっている横長の連結梁部２２に片持ち立上り状に連結されている。
【０００５】
このプッシュボタン取付構造を採用した電気機器では、プッシュボタン３を手の指で押込み操作すると、そのプッシュボタン３の押込み動作に追従して可動片４がヒンジ４１を中心に後方へ一定角度だけ倒れ込み、それに伴って可動片４から後方へ突き出ている操作片部４２が、配線基板７に実装されているスイッチ８のタクト８１を押し込んでそのスイッチ８を動作させる。
【０００６】
【特許文献１】特開２００４−１０３４９０号公報
【特許文献２】特開平６−２９０６８０号公報
【発明の開示】
【発明が解決しようとする課題】
【０００７】
ところで、図４を参照して説明した電気機器において、プッシュボタン３を押込み操作したときの操作感を良好に発揮させるためには、プッシュボタン３の押込み操作によって枠体２がぐらつくという状況の起こらないことが要求されるほか、プッシュボタンユニット１に備わっている複数のプッシュボタンのうちの１つのプッシュボタン３を押込み操作した場合に、その押込み操作に連動して他のプッシュボタンが押込み方向に微動（追微動）したりすることがないこと、などが要求されることが判っている。また、プッシュボタン３の押込み操作によるスイッチ８の操作性を高めるためには、スイッチ８が操作片部４２に対して適正位置に設置されていることが要求されることが判っている。
【０００８】
しかしながら、図４及び図５を参照して説明した事例では、プッシュボタン３を備える可動片４が枠体２の横長の連結梁部２２に連結されているために、プッシュボタン３を押込み操作することに伴う力がヒンジ部４１の撓みだけによっては完全に吸収されずに枠体２の連結梁部２２に伝わるおそれがあり、その結果、その連結梁部２２が捩じれて枠体２がぐらついたり、その押込み操作に連動して他のプッシュボタンが追微動したりするという事態の起こるおそれがある。また、そのような事態が発生している状況では、プッシュボタン３の押込み操作によるスイッチ８の動作の信頼性が損なわれるおそれもある。これらの状況は、上掲の特許文献１や特許文献２によって提案されている対策によっては到底解消されるものではない。
【０００９】
本発明は以上の状況の下でなされたものであり、プッシュボタンを押込み操作したときにそのプッシュボタンを備える枠体がぐらつくことを防ぐための対策を電気機器キャビネット側に施すことにより、その枠体のぐらつきを抑えてプッシュボタンの操作感を向上ないし安定させることができ、併せて、プッシュボタンが押込み操作されたときに他のプッシュボタンが追微動することを防ぐことのできる電気機器のプッシュボタン取付部構造に関する。
【課題を解決するための手段】
【００１０】
本発明に係る電気機器のプッシュボタン取付部構造は、電気機器キャビネットから突出されているボス部とプッシュボタンユニットの枠体に設けられている孔部との嵌合箇所を溶着することにより上記プッシュボタンユニットが上記キャビネットに結合されてそのプッシュボタンユニットのプッシュボタンが上記キャビネットの開口部に配備されている電気機器のプッシュボタン取付構造において、上記枠体の平坦面を支えてそのプッシュボタンの押込み操作に伴う枠体のぐらつきを抑制する支持体が上記キャビネットに一体に成形されている。
【００１１】
この構成であると、プッシュボタンを押込み操作することに伴う力が枠体に伝わっても、その力が枠体の平坦面を支えている支持体により受け止められて枠体のぐらつきが抑制される。そのために、プッシュボタンの操作感が改善されることに加えて、他のプッシュボタンの追微動も抑制される。
【００１２】
本発明では、上記プッシュボタンユニットが、上記枠体と、横並びに配列された複数の上記プッシュボタンのそれぞれを個別に備える複数の可動片と、を備え、それぞれの可動片が薄肉樹脂層によって形成されたヒンジ部を介して上記枠体の連結梁部に片持ち状に連結されているという構成を採用することが可能である。これによれば、プッシュボタンの押込み操作に伴う力がヒンジ部の撓みにより吸収されて枠体の連結梁部に伝わる力が軽減されるようになり、そのことが、枠体のぐらつきを抑えるための支持体の作用を安定させてプッシュボタンの操作感を改善したり他のプッシュスイッチの追微動を防ぐことに役立つ。
【００１３】
本発明では、上記支持体が、上記枠体の連結梁部の複数箇所に対峙する複数条のリブ状の支持片に分割されていることが望ましい。これによれば、支持体を構成するための材料が削減されるだけでなく、リブ状の支持片が電気機器キャビネットの補強リブとしても作用するようになる。
【００１４】
本発明では、上記ボス部が、プッシュボタンユニットの上記枠体の孔部が嵌合された軸部と、その軸部に嵌合された上記枠体の孔部の孔縁に重なり合った座面を備えて上記キャビネットに連設された基台部とを有していることが望ましい。これによれば、軸部に嵌合されて溶着された枠体が、その孔部の孔縁で基台部によって支えられるために、枠体がボス部に強固に結合される。
【００１５】
本発明において、上記支持体は、上記プッシュボタンを押込み操作することによって動作されるスイッチを実装した配線基板の端面に突き当たって上記可動片に具備された操作片部を上記スイッチのタクトに対して位置決めする機能を有することが望ましい。これによれば、操作片部とスイッチのタクトとが高精度で位置決めされてプッシュボタンの押込み操作に伴うスイッチの動作信頼性が向上する。
【００１６】
本発明に係る電気機器のプッシュボタン取付構造は、電気機器キャビネットから突出されているボス部とプッシュボタンユニットの枠体に設けられている孔部との嵌合箇所を溶着することにより上記プッシュボタンユニットが上記キャビネットに結合されてそのプッシュボタンユニットのプッシュボタンが上記キャビネットの開口部に配備されている電気機器のプッシュボタン取付構造において、上記プッシュボタンユニットが、上記枠体と、横並びに配列された複数の上記プッシュボタンのそれぞれを個別に備える複数の可動片と、を備え、それぞれの可動片が薄肉樹脂層によって形成されたヒンジ部を介して上記枠体の横長の連結梁部に片持ち立上り状に連結されていると共に、上記枠体の連結梁部の平坦面を支えて上記プッシュボタンの押込み操作に伴う枠体のぐらつきを抑制する支持体が上記連結梁部の下側で上記キャビネットに一体に成形され、その支持体が上記連結梁部の複数箇所に対峙する複数条のリブ状の支持片に分割されていて、それらの支持片に、上記プッシュボタンを押込み操作することによって動作されるスイッチを実装した配線基板の端面に突き当たって上記可動片に具備された操作片部を上記スイッチのタクトに対して位置決めする機能が付与され、上記ボス部が、プッシュボタンユニットの上記枠体の孔部が嵌合された軸部と、その軸部に嵌合された上記枠体の孔部の孔縁に重なり合った座面を備えて上記キャビネットに連設された基台部とを有している、という構成を採用することによっていっそう具体化される。この発明の作用などについては、後述する実施形態を参照して詳細に説明する。
【発明の効果】
【００１７】
以上のように、本発明に係る電気機器のプッシュボタン取付部構造によれば、電気機器キャビネットのボス部に溶着して結合されたプッシュボタンユニットの枠体の平坦面を、キャビネット側に設けた支持体で支えてその枠体のぐらつきを抑制しているので、プッシュボタンの押込み操作時の操作感が改善ないし向上するだけでなく、プッシュボタンユニットの他のプッシュボタンの追微動も抑制される。そのために、ユーザにとっての使い勝手のよい電気機器を提供することが可能になる。また、配線基板に搭載したスイッチとプッシュボタンユニットの可動片に備わっている操作片部とを位置決めする機能を付与したものでは、スイッチのタクトが操作片部の適正位置に位置決めされてスイッチの操作性が良好に保たれるという効果が奏される。
【発明を実施するための最良の形態】
【００１８】
図１は本発明の実施形態によるプッシュボタン取付構造をキャビネット５の内側から見て示した正面図、図２は図１のＩＩ−ＩＩ線に沿う部分の垂直断面図である。
【００１９】
図１及び図２において、キャビネット５はＤＶＤプレーヤなどの偏平なキャビネットのフロントパネルに相当している。プッシュボタンユニット１は、横長の連結梁部２２とその連結梁部２２の左右両端部のそれぞれから上方へ延び出た左右の立上り部２３，２３とを備える枠体２と、横並びに配列された複数（図例では３つ）のプッシュボタン３…のそれぞれを個別に備える複数の可動片４とを備えていて、それぞれの可動片４が薄肉樹脂層によって形成されたヒンジ部４１を介して枠体２の横長の連結梁部２２に片持ち立上り状に連結されている。これに対し、キャビネット５にはボス部６が一体に成形されている。このボス部６は、キャビネット５に連設された径大な基台部６１とその基台部６１の頂面から突き出た軸部６２とを備えていて、その軸部６２に上記枠体２に形成されている筒状の孔部２を嵌合してその嵌合箇所を溶着することにより、プッシュボタンユニット１がキャビネット５に結合されてそのプッシュボタンユニット１のプッシュボタン３がキャビネット５の開口部５１に配備されている。図１に示したように、この実施形態では、枠体２の複数箇所に孔部２１を形成し、それらの孔部２１を、キャビネット５側の複数のボス部６に個別に溶着してある。また、それぞれのボス部６において、その基台部６１の頂面は、枠体２の孔部２１の孔縁に重なり合った座面６３として形成されている。この構成を採用したことにより、枠体２が強固にボス部６に結合されるようになった。
【００２０】
このプッシュボタン取付構造を採用した電気機器では、図４又は図５を参照して説明したところと同様に、プッシュボタン３を手の指で押込み操作すると、そのプッシュボタン３の押込み動作に追従して可動片４がヒンジ４１を中心に後方へ一定角度だけ倒れ込み、それに伴って可動片４から後方へ突き出ている操作片部４２が、配線基板７に実装されているスイッチ８のタクト８１を押し込んでそのスイッチ８を動作させる。
【００２１】
この実施形態では、プッシュボタンユニット１の連結梁部２２や立上り部２３，２３を帯板状に形成している。そのため、連結梁部２２の下面は平坦面２４として形成されている。そして、キャビネット５の前板部５２の下部と底板部５３の前部とに跨がる形態で支持体９を一体に成形してある。この実施形態では、支持体９を、複数のリブ状の支持片９１に分割して形成してあり、それらの各支持片９１の上端面を上記枠体２の連結梁部２２の平坦面２４に異なる箇所で対峙させてある。この場合の各支持片９１の上端面を上記枠体２の連結梁部２２の平坦面２４との対峙状態は、両者が当接して対峙する状態であっても、微細な隙間を隔てて対峙している状態であってもよい。
【００２２】
この構成を採用したことにより、プッシュボタン３を押込み操作して可動片４を後方へ一定角度だけ倒れ込ませたときに、その押込み操作に伴う力がヒンジ４１の撓みだけによっては完全に吸収されずに枠体２の連結梁部２２に伝わったとしても、その力が連結梁部２２の平坦面２４に対峙している支持片９１により受け止められて連結梁部２２の捩れ変形が抑制され、そのために枠体２のぐらつきも抑制される。その結果、プッシュボタン３の操作感が良好になり、加えて、他のプッシュボタンの追微動も抑制された。この場合において、支持片９１の上端面が連結梁部２２の平坦面２４に当接して対峙しているときには、枠体２のぐらつきが確実に阻止されるのに対して、支持片９１の上端面が連結梁部２２の平坦面２４に微細な隙間を隔てて対峙しているときには、その隙間の広さに見合って連結梁部２２の捩れが生じるけれども、隙間が微細であるためにそのような連結梁部２の捩れが操作感を極端に悪化させることはない。
【００２３】
この実施形態では、複数の上記支持片９１の後端面９２を、スイッチ８を搭載した配線基板７の前端に突き当てたときには、上記可動片４の操作片部４２がスイッチ８のタクト８１に対して位置決めされるようになっている。こうしたことにより、操作片部４２とスイッチ８のタクト８１とが高精度で位置決めされてプッシュボタン３の押込み操作に伴うスイッチ８の動作信頼性が向上した。
【００２４】
以上説明した実施形態では、図１のように枠体２の連結梁部２２とボス部６との溶着箇所の相互間に支持片９１を配備することによって、その連結梁部２２の捩れに伴う枠体２のぐらつきを抑制してあるけれども、この点は、図３のように支持片９１を追加することにより、上記溶着箇所の相互間だけでなく、その溶着箇所をも支持片９１で支えるようにすることも可能である。
【００２５】
なお、図１〜図５において、同一又は相応する部分には同一の符号を付してある。
【図面の簡単な説明】
【００２６】
【図１】本発明の実施形態によるプッシュボタン取付構造をキャビネットの内側から見て示した正面図である。
【図２】図１のＩＩ−ＩＩ線に沿う部分の垂直断面図である。
【図３】本発明の他の実施形態によるプッシュボタン取付構造をキャビネットの内側から見て示した正面図である。
【図４】溶着によってプッシュボタンユニットを電気機器キャビネットに取り付けた構造をキャビネットの内側から見て示した正面図である。
【図５】図４のＶ−Ｖ線に沿う部分の垂直断面図である。
【符号の説明】
【００２７】
１  プッシュボタンユニット
２  枠体
３  プッシュボタン
４  可動片
５  電気機器キャビネット
６  ボス部
７  配線基板
８  スイッチ
９  支持体
２１  孔部
２２  連結梁部
２４  平坦面
４１  ヒンジ部
４２  操作片部
５１  開口部
６１  基台部
６２  軸部
６３  座面
８１  タクト
９１  支持片
【図１】
2007073244.tif 000003
【図２】
2007073244.tif 000004
【図３】
2007073244.tif 000005
【図４】
2007073244.tif 000006
【図５】
2007073244.tif 000007